(57)【特許請求の範囲】
【請求項１】
４つのリボンマイクロホンユニットがそれぞれ、指向軸を同一水平面内に位置するように配置されているステレオリボンマイクロホンであって、
４つの前記リボンマイクロホンユニットは、それぞれ円周方向において交互に右チャンネル用と左チャンネル用になっていて、隣接する前記リボンマイクロホンユニット同士の指向軸の向きが９０度となるように配置されている、
ことを特徴とするステレオリボンマイクロホン。
【請求項２】
右チャンネル用の前記リボンマイクロホンユニット同士が２つ直列に接続されているとともに、左チャンネル用の前記リボンマイクロホンユニット同士が２つ直列に接続されている請求項１記載のステレオリボンマイクロホン。
【請求項３】
直列に接続された２つの前記リボンマイクロホンユニットが昇圧トランスの１次巻き線に接続されるとともに、前記昇圧トランスの２次巻き線の両端はバランス出力のホット側とコールド側に接続されている請求項２記載のステレオリボンマイクロホン。
【請求項４】
前記ステレオリボンマイクロホンの出力端子は、前記右チャンネル用の２つの前記リボンマイクロホンユニットについてのホット側およびコールド側の端子と、前記左チャンネル用の２つの前記リボンマイクロホンユニットについてのホット側およびコールド側の端子と、アース端子との合計５つの端子となっている請求項３記載のステレオリボンマイクロホン。
【発明の詳細な説明】
【技術分野】
【０００１】
本発明は、複数のマイクロホンユニットを同一平面内に配置しても近傍の構造物による音響特性の影響を受けず、良好なステレオ集音性を得ることのできるステレオリボンマイクロホンに関する。
【背景技術】
【０００２】
ステレオマイクロホンは、特許文献１に記載されているように、２つのマイクロホンユニットを内蔵し、それぞれのユニットの出力を左右の２チャンネルの信号とするものである。
【０００３】
そのようなステレオマイクロホンの例として、双指向性マイクロホンユニットを２つ備え、それぞれのユニットの指向軸をマイクロホンの正面に対して左側に−４５度、右側に＋４５度に向けたステレオマイクロホンがある。ステレオマイクロホンに採用されている上記集音方法は、ブルームラインアレイと呼ばれている。ブルームラインアレイを構成する双指向性マイクロホンユニットには、静電型のコンデンサマイクロホンユニットと、導電型のリボンマイクロホンユニットとがある。
【０００４】
一般に、ステレオマイクロホンを構成する２つのマイクロホンユニットは、それぞれの指向軸が同一水平面内にあるように配置される。しかし、ブルームラインアレイに用いられる双指向性マイクロホンユニットは、近傍の構造物が音響中心に対し前後対称でないと特性が悪化するため、左右チャンネルのユニットを隣り合わせて配置することは性能上好ましくない。
【先行技術文献】
【特許文献】
【０００５】
【特許文献１】特開平０６−３０３６９１号公報
【発明の概要】
【発明が解決しようとする課題】
【０００６】
このため、一般的なステレオリボンマイクロホンでは、図９に示すように、２つの双指向性ユニットは縦方向に積み重ねて使用される。図９のステレオリボンマイクロホン１では、マイクロホンケース３内部に２つのリボンマイクロホンユニット２ａ、２ｂが縦方向に積み重ねられて収納され、外部からの音声はマイクロホンケース３に設けられたシールドメッシュ４を通じてリボンマイクロホンユニット２ａ、２ｂに到達する。
【０００７】
また、マイクロホンケース３内には、昇圧トランス５ａ、５ｂが設けられていて、リボンマイクロホンユニット２ａ、２ｂからの出力はそれぞれ昇圧トランス５ａ、５ｂを経て５ピンコネクタ７から外部機器へと出力される。５ピンコネクタ７は昇圧トランス５ａと５ｂそれぞれのホット側およびコールド側端子と、アース端子とから構成されている。また、マイクロホンケース３内には、バッファアンプとしての機能を有する回路基板６が設けられている。
【０００８】
上述した従来のステレオリボンマイクロホンでは、２つのマイクロホンユニットの指向軸は異なる水平面内に存在することとなり、ステレオ集音において好ましくない。上下に積み重ねた２つのリボンマイクロホンユニットのそれぞれの指向軸は同一水平面内に無いため、特に近接音源に対して、音源の垂直（上下）方向の偏りが、それぞれ上下のマイクロホンユニットで区別されて集音され、水平（左右）方向の偏りとして出力されてしまう。
【０００９】
加えて、リボンマイクロホンユニットは、より高い感度を得ることができるように、振動板としてのリボンの長さを可能な限り長くする必要があるため、リボンマイクロホンユニットの垂直方向（リボンの長さ方向）の寸法が長くなる。よって、２つのリボンマイクロホンユニットを垂直方向に配置した従来のステレオリボンマイクロホンによれば、２つのリボンマイクロホンユニット相互の垂直方向のずれが大きくなり、ステレオマイクロホンとして、左右の音を区別して集音する性能が低下する難点がある。
【００１０】
そこで、ステレオリボンマイクロホンは、近傍の構造物による音響特性への影響の抑制と、マイクロホンユニットの同一平面内への配置による良好なステレオ集音とを両立させることが望まれる。
【００１１】
本発明は上記課題に鑑みてなされたものであって、複数のマイクロホンユニットを同一平面内に配置しても、近傍の構造物による音響特性の影響を受けず、良好なステレオ集音性を得ることのできるステレオリボンマイクロホンを提供することを目的とする。
【課題を解決するための手段】
【００１２】
本発明に係るステレオリボンマイクロホンは、４つのリボンマイクロホンユニットがそれぞれ、指向軸を同一水平面内に位置するように配置されているステレオリボンマイクロホンであって、４つのリボンマイクロホンユニットは、それぞれ円周方向において交互に右チャンネル用と左チャンネル用になっていて、隣接するリボンマイクロホンユニット同士の指向軸の向きが９０度となるように配置されている、ことを最も主要な特徴とする。
【発明の効果】
【００１３】
本発明は、複数のマイクロホンユニットを同一平面内に配置しても近傍の構造物による音響特性の影響を受けず、良好なステレオ集音性を得ることのできるステレオリボンマイクロホンを提供することができる。
【図面の簡単な説明】
【００１４】
【図１】本発明に係るステレオリボンマイクロホンの実施例を示す縦断面図である。
【図２】図１のステレオリボンマイクロホンのユニット部の横断面図である。
【図３】上記ステレオリボンマイクロホンユニットの指向特性を示すグラフである。
【図４】上記ステレオリボンマイクロホンの回路図である。
【図５】上記ステレオリボンマイクロホンに用いられている左チャンネル用のリボンマイクロホンユニットの音響性能の測定結果を示すグラフである。
【図６】上記左チャンネル用のリボンマイクロホンユニットの音響性能の測定結果を示す別のグラフである。
【図７】上記ステレオリボンマイクロホンに用いられている右チャンネル用のリボンマイクロホンユニットの音響性能の測定結果を示すグラフである。
【図８】上記右チャンネル用のリボンマイクロホンユニットの音響性能の測定結果を示す別のグラフである。
【図９】従来のステレオリボンマイクロホンの例を示す断面図である。
【発明を実施するための形態】
【００１５】
以下、本発明に係るステレオリボンマイクロホンの実施例について図面を参照しながら説明する。なお、図９に示した従来例と同じ構成については同じ符号を付してある。
【００１６】
図１に示すように、本発明の実施例に係るステレオリボンマイクロホン１は、マイクロホンケース３内部に４つのリボンマイクロホンユニット２ａ、２ｂ、２ｃ、２ｄがそれぞれ、指向軸を同一水平面内に位置させて収納されている。外部からの音声はマイクロホンケース３に設けられたシールドメッシュ４を通じてリボンマイクロホンユニット２ａ、２ｂ、２ｃ、２ｄに到達する。
【００１７】
また、マイクロホンケース３内には、昇圧トランス５ａ、５ｂが設けられている。リボンマイクロホンユニット２ａ、２ｂからの出力はそれぞれ昇圧トランス５ａ、リボンマイクロホンユニット２ｃ、２ｄからの出力はそれぞれ昇圧トランス５ｂを経て、５ピンコネクタ７から外部機器へと出力される。５ピンコネクタ７は昇圧トランス５ａと５ｂそれぞれのホット側およびコールド側端子と、アース端子とから構成されている。また、マイクロホンケース３内には、バッファアンプとしての機能を有する回路基板６が設けられている。
【００１８】
リボンマイクロホンユニット２ａ、２ｂ、２ｃ、２ｄは、マイクロホンケース３内に、図２に示すように、指向軸が同一水平面内に位置するようにして配置されている。個々のリボンマイクロホンユニット２ａ、２ｂ、２ｃ、２ｄは、周知のとおり、四角柱状の細長い一対の永久磁石の間に磁場が形成され、この磁場内に振動板としての導電性のリボンが配置されている。リボンは長さ方向の両端部が固定されていて、音波を受けてリボンが振動して上記磁場の磁束を横切ることにより、リボンの両端から上記音波に応じた電気信号が出力される。
【００１９】
リボンマイクロホンユニット２ａ、２ｂは右チャンネル用であり、リボンマイクロホンユニット２ｃ、２ｄは左チャンネル用である。右チャンネル用マイクロホンユニット２ａ、２ｂは、集音軸方向すなわちリボンの面に対し直交する方向がマイクロホン正面方向に対し左側に４５度傾けて、かつ、上記集音軸が平行になるようにマイクロホンケース３内に配置されている。左チャンネル用マイクロホンユニット２ｃ、２ｄは、集音軸方向すなわちリボンの面に対し直交する方向がマイクロホン正面方向に対し右側に４５度傾けて、かつ、上記集音軸が平行になるようにマイクロホンケース３内に配置されている。また、リボンマイクロホンユニット２ａ、２ｂ、２ｃ、２ｄは、隣り合うリボンマイクロホンユニットの指向軸間のなす角度が９０度となるように配置されている。これらのリボンマイクロホンユニットの音響中心は、図２に点Ａで示すように、各マイクロホンユニットで囲まれた空間の中心位置にあり、この音響中心Ａから見て、各リボンマイクロホンユニットは対称的な位置にある。これら４つのリボンマイクロホンユニットの指向特性を図３に示す。
【００２０】
図３において、実線は左チャンネル用のリボンマイクロホンユニットのポーラーパターンを、点線は右チャンネル用のリボンマイクロホンユニットのポーラーパターンを示している。また、右チャンネル用のリボンマイクロホンユニットの指向軸はマイクロホン正面方向に対し右側に４５度傾き、左チャンネル用のリボンマイクロホンユニットの指向軸はマイクロホン正面方向に対し左側に４５度傾いている。
【００２１】
上述したステレオリボンマイクロホン１の回路構成を図４に示す。右チャンネル用のリボンマイクロホンユニット２ａ、２ｂ、および、左チャンネル用のリボンマイクロホンユニット２ｃ、２ｄは、それぞれ直列に接続されている。
【００２２】
リボンマイクロホンユニット２ａ、２ｂは、昇圧トランス５ａの１次巻き線に接続され、リボンマイクロホンユニット２ａ、２ｂの直列出力が上記１次巻き線に入力されるようになっている。昇圧トランス５ａの２次巻き線の両端は、バランス出力のホット側とコールド側に、それぞれバッファアンプ６を介して接続されている。
【００２３】
リボンマイクロホンユニット２ｃ、２ｄは、昇圧トランス５ｂの１次巻き線に接続され、リボンマイクロホンユニット２ｃ、２ｄの直列出力が上記１次巻き線に入力されるようになっている。昇圧トランス５ｂの２次巻き線の両端は、バランス出力のホット側とコールド側に、それぞれバッファアンプ６を介して接続されている。
【００２４】
上述した昇圧トランス５ａと５ｂそれぞれのホット側およびコールド側端子と、アース端子とにより構成される５ピンコネクタ７から、図示しない外部機器へと音声信号が出力される。
【００２５】
上述した実施例に係るステレオリボンマイクロホンの音響性能の測定結果を図５〜図８に示す。図５および図６は左チャンネル用のリボンマイクロホンユニットの音響特性を、図７および図８は右チャンネル用のリボンマイクロホンユニットの音響特性を示している。図６および図８では、Ａは０度（正面）方向、Ｂは９０度（横）方向、Ｃは１８０度（背面）方向での集音特性を示している。これらの図に示すように、左チャンネル用および右チャンネル用のいずれのリボンマイクロホンユニットも、双指向性となっている。
【００２６】
本発明に係るステレオリボンマイクロホンによると、４つのマイクロホンユニットが音響中心に対して対称に配置されているため、従来のステレオリボンマイクロホンで問題となっていた、マイクロホンユニット内部のマイクロホンユニット近傍の構造物による音響特性への影響を効果的に抑えることができる。また、４つのマイクロホンユニットがそれらの指向軸を同一平面内に位置するように配置されているため、音源の垂直（上下）方向の偏りが、水平（左右）方向の偏りとして出力されてしまうことが無く、良好なステレオ集音性を得ることができる。
【符号の説明】
【００２７】
１  ステレオリボンマイクロホン
２ａ、２ｂ、２ｃ、２ｄ  リボンマイクロホンユニット
３  マイクロホンケース
４  シールドメッシュ
５ａ、５ｂ  昇圧トランス
６  回路基板（バッファアンプ）
７  ５ピンコネクタ
Ａ  音響中心
【図１】
0005574494.tif 000002
【図２】
0005574494.tif 000003
【図３】
0005574494.tif 000004
【図４】
0005574494.tif 000005
【図５】
0005574494.tif 000006
【図６】
0005574494.tif 000007
【図７】
0005574494.tif 000008
【図８】
0005574494.tif 000009
【図９】
0005574494.tif 000010